(57)【要約】      （修正有）【課題】使用後も装飾としての２次利用も考えた造形を有しているため、パーティー終了時にも各個人に持ち帰ってもらい、インテリアの装飾品として使用可能なフラワー型のお皿を提供する。【解決手段】エアフラワーは、方形状の表面と、この裏面の２面を有し、裏面には、空気封入口を有し、内部に空気が封入可能で、空気封入入り口を指の間にはさみ手の平の上にのせ、安定させることができる物である。【選択図】図２
0003134833.tif 000002
【実用新案登録請求の範囲】
0003134833.tif 000003
【請求項１】
フラワー型のお皿は厚みの異なるＰＶＣ（塩化ビニール）素材を２枚重ね合わせ、接着した形状に空気封入口を有し、内部に空気を封入可能にした際、形状が変化するフラワー型プレートとする、花の形状を施したＰＶＣ素材によるお皿。
【請求項２】
前記のフラワー型のお皿本体の側面は、接着線部を有し、ＰＶＣ（塩化ビニール）素材の表面部の素材の厚みや、色彩の違いを特徴とする、請求項１のフラワー型プレート。
【請求項３】
前記のフラワー型のお皿本体は、空気封入口より空気を封入することで、花びらそれぞれの形状が膨らみ、膨らんだ部分と中心のマイナスにへこむ部分で、膨らみ具合の差が生じ膨らまない部分がくぼむことで、形状がお皿型に見える請求項１又は、請求項２に記載のフラワー型プレート。
【請求項４】
前記のフラワー型のお皿は、花びら形状の１枚１枚の形状の間に花びらどうしを、つなぎ止めるような水かき形状がこの部分に有することで、フラワー型プレートに食べ物や装飾物を乗せた時に、落下の防止を特徴とする請求項１乃至請求項３に記載のフラワー型プレート。
【請求項５】
前記のフラワー型のお皿は、サイズの違いによって空気封入口の数が異なることを特徴とする請求項１乃至請求項４に記載のフラワー型プレート。
【請求項６】
前記のフラワー型のお皿は、空気封入口を１つ有する形状の場合、人差し指と中指の間に空気封入口をはさみ込むことにより、手のひらの上で安定させることのできる特徴を有する請求項１乃至請求項５に記載のフラワー型プレート。
【請求項７】
前記のフラワー型のお皿は、空気封入口を５つ有する大サイズの形状の場合、テーブルの上に空気封入口が足となり、独立しておくことのできる特徴を有する請求項１乃至請求項６に記載のフラワー型プレート。
【請求項８】
前記のフラワー型のお皿は、アニメキャラクターや模様を有することで色の特徴に変化を付けることのできる特徴を有する請求項１乃至請求項７に記載のフラワー型プレート。
【請求項９】
前記のフラワー型のお皿は、花びらの枚数によって、花びらの形に変化を与えることのできる特徴を有する請求項１乃至請求項８に記載のフラワー型プレート。
【請求項１０】
名称フラワープレートは、装飾的にも優れ、小さいサイズの空気封入口に小型ＬＥＤライトを差し込むことで、クリスマスのイルミネーションなどに用途を広げることができる特徴を有する請求項１乃至請求項９に記載のフラワー型プレート。
【考案の詳細な説明】
【技術分野】  （注）見出しの横には何も記載しないで下さい。【０００１】本考案は、花の形状を施したＰＶＣ素材によるお皿（名称＝エアフラワー）に関する。
【背景技術】
【０００２】  本考案のＡＩＲ  ＦＬＯＷＥＲ（エアフラワー）は、表面（図２−※３）、裏面（図２−※４）の２面より構成されており、小さいサイズ（図１及２）は、空気封入口（図２−※５）を１つ有し、空気封入口を指の間に挟むことで、手の平の上に乗せ、安定感を持たせている。
大きいサイズ（図４及５）は、空気封入口（図４−※１０）を５つ有して、内部に空気封入可能であると同時に５つの封入口がお皿の足となり、安定感を保つものである。
【考案の開示】
花の形状を施したＰＶＣ素材によるお皿（名称＝エアフラワー）に関する考案。
【考案が解決しようとする課題】
【０００３】  パーティーという華やかさをもつ立食会時などに、紙によるお皿を用いることがしばし見受けられるが、本考案は、有色のエアフラワー（請求項８に記載）をパーティー開催時に配り、自己において空気封入口（図２−※５）より空気を入れ取り皿としての役割を果たすものであると同時に、パーティー終了時に捨てられてしまう一般的な紙皿は、ゴミとなりうるが、本考案は、使用後も装飾としての２次利用も考えた造形を有しているため、パーティー終了時にも各個人に持ち帰ってもらい、インテリアの装飾品として使用可能な提案を目的としている。
【課題を解決するための手段】
【０００４】  請求項１のエアフラワー（小サイズ、図１及２）は、方形状の表面（図２−※３）と、この裏面（図２−※４）の２面を有し、裏面（図２−※４）には、空気封入口（図２−※５）を有し、内部に空気が封入可能で、空気封入入り口を指の間にはさみ手の平の上にのせ、安定させることができることを特徴とする物である。
【０００５】  請求項１のエアフラワー（大サイズ、図３及４）は、方形状の表面（図４−※５）と、この裏面（図４−※７）の２面を有し、底面には空気封入口（図４−※１０）を５つ有し、空気封入口が、形状の足となり設置時に安定した形状を保つことを特徴とする物である。
【０００６】  本考案によれば、パーティー等で会話を楽しむ際、立食時にでも手のひらの上で安定したお皿の位置を保つことができ、装飾性もあり、パーティー時には華やかさを提供することができる。
【考案の効果】
【０００７】  各家庭に分散化しつつある現代家庭事情において、友人を招いたホームパーティーや、オリジナリティーあふれる催し物会が行われる昨今、自己演出の一部に活用することができる。
【考案を実施するための最良の形態】
【０００８】  本考案によれば、エアフラワー（小サイズ、図１及２）、方形状の表面（図２−※３）と、この裏面（図２−※４）の２面の接合からなり、空気封入口を有する請求項１のエアフラワーは、平面状の形態に空気を封入することで、形状が、花が咲く形状に変化する。空気を封入することにで、内部にいれる空気の量によって、花が咲くように各花びらが持ち上がり、花びらの核となる部分がへこみ、へこんだ部分に物をのせることができる。【０００９】  エアフラワー（大サイズ、図３及４）は、方形状の表面（図４−※５）と、この裏面（図４−※７）の２面の接合からなり、小サイズ同様、空気封入口より空気を入れることで、花びらの核となる部分がへこむ。へこんだ部分を中心として器型が形成され、へこみ部分に物をのせることができる。
また、５つ付いている空気封入口が均等に花びらに付いているため、本考案の形状に空気を封入することで、形状が安定し空気封入口が足の役割を果たすことができる。【００１０】  本考案は、ＰＶＣ（塩化ビニール）の有する色彩を変えることで、様々な色の花を造り出すことができる。プリント柄や、キャラクター柄等を有することもでき、様々なパーティーや催し会場での演出ができるように考案されている。
【実施例】
【００１１】  請求項１のエアフラワー（小サイズ、図１及２）は、方形状の表面（図２−※３）と、この裏面（図２−※４）の２面を有し、裏面（図２−※４）には、空気封入口（図２−※５）を有し、内部に空気が封入可能で、空気封入入り口を指の間にはさみ手の平の上にのせ、安定させることができることを特徴とする物である。
本考案によれば、パーティー等で会話を楽しむ際、立食時にでも手のひらの上で安定したお皿の位置を保つことができ、装飾性もあり、パーティー時には華やかさを提供することができる。【００１２】  請求項１のエアフラワー（大サイズ、図３及４）は、方形状の表面（図−※５）と、この裏面（図４−※７）の２面を有し、底面には空気封入口（図４−※１０）を５つ有し、空気封入口が、形状の足となり設置時に安定した形状を保つことを特徴とする物である。
本考案によれば、パーティー等で会話を楽しむ際、立食時にでも手のひらの上で安定したお皿の位置を保つことができ、装飾性もあり、パーティー時には華やかさを提供することができる。
【産業上の利用可能性】
【００１３】  本考案のエアフラワーは、空気封入口より空気を封入しないときは、平面状態になり、持ち運びや梱包の際に収納の利便性を提供することができる。【００１４】  本考案のエアフラワーは、ＰＶＣ（塩化ビニール）の豊かな色彩を有するため、産業上様々な、催し会場やイベントでの用途が、幅広く活用できることを有する。
【図面の簡単な説明】
【００１５】
【図１】  本考案のＰＶＣ（塩化ビニール）を使ったフラワー型のお皿。小サイズ表面図。
【図２】  本考案のＰＶＣ（塩化ビニール）を使ったフラワー型のお皿。小サイズ裏面図。
【図３】  本考案のＰＶＣ（塩化ビニール）を使ったフラワー型のお皿。大サイズ表面図。
【図４】  本考案のＰＶＣ（塩化ビニール）を使ったフラワー型のお皿。大サイズ裏面図。
【符号の説明】
【００１６】※１  エアフラワー本体（小サイズ）  ※２  落下防止枠
※３  本体上部（小サイズ）  ※４  本体下部（小サイズ）
※５  空気封入口
※６  エアフラワー本体（大サイズ）  ※７  落下防止枠
※８  本体上部（大サイズ）  ※９  本体下部（大サイズ）
※１０  空気封入口
【その他】
エアフラワー（ＰＶＣ「塩化ビニール」を使ったフラワー型のお皿）に関する請求項。
【図１】
0003134833.tif 000004
【図２】
0003134833.tif 000005
【図３】
0003134833.tif 000006
【図４】
0003134833.tif 000007
【手続補正書】
【提出日】平成19年1月31日(2007.1.31)
【手続補正１】
【補正対象書類名】実用新案登録請求の範囲
【補正対象項目名】全文
【補正方法】変更
【補正の内容】
【実用新案登録請求の範囲】
【請求項１】
フラワー型のお皿は厚みの異なるＰＶＣ（塩化ビニール）素材を２枚重ね合わせ，接着した形状に空気封入口を有し，内部に空気を封入可能にした際，形状が変化するフラワー型プレートとする、花の形状を施したＰＶＣ素材によるお皿。
【請求項２】
前記のフラワー型のお皿本体の側面は、接着線部を有し、ＰＶＣ（塩化ビニール）素材の表面部の素材の厚みや、色彩の違いを特徴とする、請求項１のフラワー型プレート。
【請求項３】
前記のフラワー型のお皿本体は、空気封入口より空気を封入することで、花びらそれぞれの形状が膨らみ、膨らんだ部分と中心のマイナスにへこむ部分で、膨らみ具合の差が生じ膨らまない部分がくぼむことで、形状がお皿型に見える請求項１又は、請求項２に記載のフラワー型プレート。
【請求項４】
前記のフラワー型のお皿は、花びら形状の１枚１枚の形状の間に花びらどうしを、つなぎ止めるような水かき形状がこの部分に有することで、フラワー型プレートに食べ物や装飾物を乗せた時に、落下の防止を特徴とする請求項１〜３のいずれかの一項に記載のフラワー型プレート。
【請求項５】
前記のフラワー型のお皿は、サイズの違いによって空気封入口の数が異なることを特徴とする請求項１〜４のいずれかの一項に記載のフラワー型プレート。
【請求項６】
前記のフラワー型のお皿は、空気封入口を１つ有する形状の場合、人差し指と中指の間に空気封入口をはさみ込むことにより、手のひらの上で安定させることのできる特徴を有する請求項１〜５のいずれかの一項に記載のフラワー型プレート。
【請求項７】
前記のフラワー型のお皿は、空気封入口を５つ有する大サイズの形状の場合、テーブルの上に空気封入口が足となり、独立しておくことのできる特徴を有する請求項１〜６のいずれかの一項に記載のフラワー型プレート。
【請求項８】
前記のフラワー型のお皿は、アニメキャラクターや模様を有することで色の特徴に変化を付けることのできる特徴を有する請求項１〜７のいずれかの一項に記載のフラワー型プレート。
【請求項９】
前記のフラワー型のお皿は、花びらの枚数によって、花びらの形に変化を与えることのできる特徴を有する請求項１〜８のいずれかの一項に記載のフラワー型プレート。
【請求項１０】
名称フラワープレートは、装飾的にも優れ、小さいサイズの空気封入口に小型ＬＥＤライトを差し込むことで、クリスマスのイルミネーションなどに用途を広げることができる特徴を有する請求項１〜９のいずれかの一項に記載のフラワー型プレート。